(57)【要約】【課題】選択された表示形態に応じて文書の表示画像と当該文書の文書情報との間隔を調整する。【解決手段】文書を表示させる際、厚み非表示モードがユーザにより選択されると、表示制御部は、文書の縮小画像の下辺から所定の間隔を空けた位置に文書名を表示するよう制御する。一方、厚み表示モードがユーザにより選択されると、表示制御部は、文書のページ数に応じて文書の厚み画像３１を生成し、文書の縮小画像に厚み画像３１を付加することでサムネイルを生成する。そして、厚み画像３１の下端から所定の間隔を空けた位置に文書名を表示するよう制御する。【選択図】図４
2019079184.tif 000002
【特許請求の範囲】
【請求項１】
文書の縮小画像を含む表示画像の表示形態として、第１の表示形態又は第２の表示形態かを選択させる選択手段と、
第１の表示形態が選択された場合、第２の表示形態が選択された場合より、文書の縮小画像と当該文書の文書情報との間隔を離間して表示されるよう制御する表示制御手段と、
を有することを特徴とする情報処理装置。
【請求項２】
前記第１の表示形態は、文書の縮小画像の周囲に付随画像を付加して形成された前記表示画像を表示する形態であり、
前記第２の表示形態は、文書の縮小画像の周囲に付随画像を付加しないで形成された前記表示画像を表示する形態であることを特徴とする請求項１に記載の情報処理装置。
【請求項３】
前記付随画像は、文書の厚みを表す画像であることを特徴とする請求項２に記載の情報処理装置。
【請求項４】
前記表示制御手段は、第１の表示形態が選択された場合、前記付随画像に当該文書の文書情報が重ならないように当該表示画像と当該文書情報との間隔を調整することを特徴とする請求項２に記載の情報処理装置。
【請求項５】
コンピュータを、
文書の縮小画像を含む表示画像の表示形態として、第１の表示形態又は第２の表示形態かを選択させる選択手段、
第１の表示形態が選択された場合、第２の表示形態が選択された場合より、文書の表示画像と当該文書の文書情報との間隔を離間して表示されるよう制御する表示制御手段、
として機能させるためのプログラム。
【発明の詳細な説明】
【技術分野】
【０００１】
本発明は、情報処理装置及びプログラムに関する。
【背景技術】
【０００２】
文書ファイルの内容がわかるように文書名と共に文書の縮小画像、すなわちサムネイルを表示可能な文書管理ソフトウェアが種々知られている。文書名は、対応するサムネイルから所定の間隔を空けて直下に表示されるのが一般的である。
【０００３】
また、サムネイルを表示する際、文書を構成するページ数の相対的なボリュームの大小がわかるように厚みを表す画像をサムネイルに付加して表示させる機能を有する文書管理ソフトウェアがある。
【先行技術文献】
【特許文献】
【０００４】
【特許文献１】特開２００９−４８４５０号公報
【発明の概要】
【発明が解決しようとする課題】
【０００５】
本発明は、選択された表示形態に応じて文書の表示画像と当該文書の文書情報との間隔を調整することを目的とする。
【課題を解決するための手段】
【０００６】
本発明に係る情報処理装置は、文書の縮小画像を含む表示画像の表示形態として、第１の表示形態又は第２の表示形態かを選択させる選択手段と、第１の表示形態が選択された場合、第２の表示形態が選択された場合より、文書の縮小画像と当該文書の文書情報との間隔を離間して表示されるよう制御する表示制御手段と、を有することを特徴とする。
【０００７】
また、前記第１の表示形態は、文書の縮小画像の周囲に付随画像を付加して形成された前記表示画像を表示する形態であり、前記第２の表示形態は、文書の縮小画像の周囲に付随画像を付加しないで形成された前記表示画像を表示する形態であることを特徴とする。
【０００８】
また、前記付随画像は、文書の厚みを表す画像であることを特徴とする。
【０００９】
また、前記表示制御手段は、第１の表示形態が選択された場合、前記付随画像に当該文書の文書情報が重ならないように当該表示画像と当該文書情報との間隔を調整することを特徴とする。
【００１０】
本発明に係るプログラムは、コンピュータを、文書の縮小画像を含む表示画像の表示形態として、第１の表示形態又は第２の表示形態かを選択させる選択手段、第１の表示形態が選択された場合、第２の表示形態が選択された場合より、文書の表示画像と当該文書の文書情報との間隔を離間して表示されるよう制御する表示制御手段、として機能させる。
【発明の効果】
【００１１】
請求項１に記載の発明によれば、選択された表示形態に応じて文書の表示画像と当該文書の文書情報との間隔を調整することができる。
【００１２】
請求項２に記載の発明によれば、文書の縮小画像の周囲に付随画像が付加された表示画像を表示させる場合には、付加されていない表示画像を表示させる場合より、文書の表示画像と当該文書の文書情報との間隔を離間して表示させることができる。
【００１３】
請求項３に記載の発明によれば、文書の厚みを表す画像が縮小画像に付加されている場合には、付加されていない場合より文書の表示画像と当該文書の文書情報との間隔を離間して表示させることができる。
【００１４】
請求項４に記載の発明によれば、選択された表示形態に応じて文書の表示画像と当該文書の文書情報との間隔を調整することができる。
【図面の簡単な説明】
【００１５】
【図１】本発明に係る情報処理装置の一実施の形態を示したブロック構成図である。
【図２】本実施の形態における情報処理装置を形成するコンピュータのハードウェア構成図である。
【図３】本実施の形態において厚み非表示モードでサムネイルを表示したときの表示例を示す図である。
【図４】本実施の形態における表示制御を適用して厚み表示モードでサムネイルを表示したときの表示例を示す図である。
【図５】本実施の形態における特徴的な表示制御処理を示すフローチャートである。
【図６】本実施の形態における表示制御を適用せずに厚み表示モードでサムネイルを表示したときの表示例を示す図である。
【発明を実施するための形態】
【００１６】
以下、図面に基づいて、本発明の好適な実施の形態について説明する。
【００１７】
図１は、本発明に係る情報処理装置の一実施の形態を示したブロック構成図である。また、図２は、本実施の形態における情報処理装置１０を形成するコンピュータのハードウェア構成図である。
【００１８】
本実施の形態における情報処理装置１０は、パーソナルコンピュータ（ＰＣ）等汎用的なハードウェア構成のコンピュータで実現可能である。すなわち、情報処理装置１０は、図２に示したようにＣＰＵ２１、ＲＯＭ２２、ＲＡＭ２３、ハードディスクドライブ（ＨＤＤ）２４、入力手段として設けられたマウス２５とキーボード２６、及び表示手段として設けられたディスプレイ２７をそれぞれ接続する入出力コントローラ２８、通信手段として設けられたネットワークインタフェース（ＩＦ）２９を内部バス３０に接続して構成される。なお、タブレット端末など液晶パネルをユーザインタフェースとする情報処理装置の場合、液晶パネルが入力手段であり、表示手段でもある。
【００１９】
本実施の形態における情報処理装置１０は、図１に示すようにユーザインタフェース（ＵＩ）部１１、表示制御部１２及び文書記憶部１３を有している。なお、図１には、本実施の形態の説明に用いない構成要素については省略している。
【００２０】
ユーザインタフェース部１１は、マウス２５又はキーボード２６を用いて入力された情報を受け付け、また、ディスプレイ２７に各種画面を介して情報を出力するユーザインタフェース手段である。また、本実施の形態では、文書のサムネイルの表示形態として、厚み表示モードにより実現される第１の表示形態と、厚み非表示モードにより実現される第２の表示形態と、を提供するが、ユーザインタフェース部１１は、いずれかの表示形態で表示させるかをユーザに選択させる選択手段として機能する。表示制御部１２は、文書管理ソフトウェアの一機能を実現し、文書記憶部１３に格納されている文書やネットワーク経由で受信された文書のサムネイルをユーザインタフェース部１１に表示させるよう表示の制御を行う。
【００２１】
文書記憶部１３には、表示対象となる文書ファイル及び当該文書の属性情報等の文書情報が格納される。ここで、本実施の形態でいう「文書（ファイル）」というのは、文字列のみで記述されたファイルという狭義に解釈すべきでなく、文書の量がページ等の単位でカウント可能な形式にて生成されるファイルであり、文字列のみならず描画された図や写真等の画像も含まれるものであると広義に解釈すべきである。
【００２２】
情報処理装置１０における各構成要素１１，１２は、情報処理装置１０を形成するコンピュータと、コンピュータに搭載されたＣＰＵ２１で動作するプログラムとの協調動作により実現される。また、文書記憶部１３は、情報処理装置１０に搭載されたＨＤＤ２４にて実現される。あるいは、ＲＡＭ２３又は外部にある記憶手段をネットワーク経由で利用してもよい。
【００２３】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２４】
本実施の形態では、サムネイルを表示するモードとして、縮小画像に文書の厚み画像を付加して表示する厚み表示モードと、文書の厚み画像を付加しないで表示する厚み非表示モードと、を提供している。図３は、ディスプレイ２７に表示される文書の表示例を示す図であり、厚み非表示モードでサムネイルを表示したときの表示例を示す図である。また、図４は、図３と同じ文書をディスプレイ２７に表示したときの表示例であるが、厚み表示モードでサムネイルを表示したときの表示例を示す図である。図３と図４を比較すれば明らかなように、厚み表示モードでサムネイルを表示すると、文書のページ数に応じて文書の厚みを表す画像が表示されることがわかる。
【００２５】
文書のサムネイルは、文書の縮小画像によって生成されるが、厳密には、文書の縮小画像と、必要により生成され、縮小画像に付加される文書の付随画像と、を含んでいる。本実施の形態では、付随画像３１，３２を設けている。付随画像３１は、図４に示すように文書の厚みを表す画像である。文書１，２，３を比較すれば明らかなように文書の厚みがあるほど、厚みの幅が大きくなり、文書の量を視認しやすくしている。なお、１ページで構成されている文書に付随画像３１は付加されない。また、付随画像３２は、図３に示すように縮小画像によって表示されている文書に付加された画像であり、複数のページを綴じるクリップ画像３２ａ、次ページ又は前ページに表示する縮小画像を切り替えるボタン３２ｂ及び文書のページ数と現在表示中のページを示すページ情報３２ｃを含んでもよい。
【００２６】
厚みを表す付随画像（以下、「厚み画像」という）３１は、上記の通り文書の厚みを表している。文書の厚みは、通常、文書を構成するページ数によって決まる。ただ、文書の量はページ数だけでなく、例えばＡ４サイズの文書にＡ３サイズの用紙を折って綴じ込むような場合、ページ数は増えないものの厚みは増える。このようにサイズの異なる用紙を折って文書に綴じ込む場合、その文書の厚み画像３１の厚み幅を大きく表示させるようにしてもよい。また、前述した文書の量を示すこと以外に、厚み画像３１で、例えば文字数や画像数等その他の情報を表してもよいし、これらの情報を総合的に勘案して厚み画像３１における厚みの幅を決定してもよい。
【００２７】
前述したように、一般的には文書の縮小画像をサムネイルと称しているかもしれないが、本実施の形態では、文書の縮小画像に付随画像を付加して形成される表示画像を「サムネイル」と称している。
【００２８】
次に、本実施の形態における表示制御部１２の表示制御処理について図５に示すフローチャートを用いて説明する。
【００２９】
前述したように、本実施の形態では、サムネイルを表示するためのモードとして厚み表示モードと厚み非表示モードとを提供している。文書をディスプレイ２７に表示させる際、ユーザインタフェース部１１は、所定の選択画面をディスプレイ２７に表示するなどして、厚み表示モード又は厚み非表示モードのいずれのモードで文書のサムネイルを表示させるかをユーザに選択させる。なお、いずれのモードで表示させるかという初期設定を予めしておくことで、表示の際にモードをユーザにその都度選択定させることを省略することは可能である。
【００３０】
まず、ユーザにより選択されたモードを受け付けると（ステップ１１１）、その受け付けたモードが厚み非表示モードの場合（ステップ１１２でＮ）、表示制御部１２は、従前と同様にサムネイル及び文書名を表示させる（ステップ１１６）。すなわち、図３に例示したように、各文書の縮小画像に付随画像３２を付加してサムネイルを形成し、更に、そのサムネイルの直下に所定の間隔を空けて文書名が表示されるように表示制御する。
【００３１】
一方、受け付けたモードが厚み表示モードの場合（ステップ１１２でＹ）、表示制御部１２は、各文書の縮小画像に付随画像３２を付加し、更に文書のページ数等に基づき厚み画像３１の厚みを決定し、厚み画像３１を縮小画像に付加することでサムネイルを形成する（ステップ１１３）。そして、表示制御部１２は、サムネイルの大きさ、少なくともサムネイルと文書名の並び方向に対するサムネイルの長さを算出する（ステップ１１４）。これにより、サムネイルの下辺の表示位置が特定されるので、そのサムネイルの下辺から所定の間隔を空けた位置に文書名が表示されるように文書名の表示位置を決定する（ステップ１１５）。表示制御部１２は、このようにして、サムネイルと文書名との表示の位置関係を設定してユーザインタフェース部１１に表示させよう制御する（ステップ１１６）。
【００３２】
図４は、以上説明した表示制御処理に従って厚み表示モードで文書を表示したときの表示例である。また、図６は、本実施の形態において特徴的な表示制御処理を適用しないで文書を表示したときの表示例を示す図である。本実施の形態における表示制御処理を適用しないと、文書名は、図６に例示したように縮小画像の下辺から所定の間隔を空けた位置に表示されるので、サムネイルと文書名との間に取られるべき間隔がなくなる。特に、文書２，３のようにページ数の多い文書の場合には、厚み画像３１と文書名が重畳して表示されてしまい、文書名が確認できないか、確認しにくい状態になる。
【００３３】
これに対し、本実施の形態における表示制御処理を適用すると、表示制御部１２は、厚み表示モードで動作する際、文書の縮小画像と文書名との間隔を離間して表示されるよう制御する。つまり、文書名は、厚み非表示モードと比較して、縮小画像からより離れた位置に表示されることになる。
【００３４】
文書名を縮小画像からより離れた位置に表示するということは。厚み画像３１に文書名が重ならないようにするためであり、そのためにサムネイルと文書名との間隔を調整することになる。本実施の形態においては、ステップ１１３〜１１５に示すように、文書名を厚み画像３１の下端から所定の間隔を空けた位置に表示するように制御するので、厚み画像３１と文書名は確実に重畳しないで表示させることができる。このようにして、厚み表示モードによりサムネイルを表示する場合でも、厚み非表示モードで表示する場合と同様に、サムネイルと文書名との間に取られるべき間隔を維持することができる。
【００３５】
なお、本実施の形態では、文書の表示画像（サムネイル）の第１の表示形態は、文書の縮小画像の周囲に付随画像を付加して形成されたサムネイルを表示する形態であり、縮小画像に付加する付随画像として厚み画像３１を例にして説明した。ただ、これは一例である。厚み画像３１の代わりに、文書の縮小画像から延出し、文書の縮小画像の周囲に位置することになる付随画像、例えば付箋等の画像でもよい。また、本実施の形態では、サムネイルと所定の間隔を空けて表示する表示情報としてサムネイルの下方に位置する文書名を例にして説明したが、文書情報としては、文書の所有者、作成日時等文書に関する他の情報であってもよい。また、文書情報は、サムネイルの下方に限定する必要はなく、上方や側方等サムネイルの周囲に位置すればよい、
【００３６】
また、本実施の形態では、サムネイルとして文書のサムネイルを用いて本実施の形態において特徴的な表示制御処理を説明したが、複数の文書を綴じて形成されるバインダー等、複数の文書を収納可能な入れ物のようなサムネイルにも適用可能である。
【符号の説明】
【００３７】
１０  情報処理装置、１１  ユーザインタフェース（ＵＩ）部、１２  表示制御部、１３  文書記憶部、２１  ＣＰＵ、２２  ＲＯＭ、２３  ＲＡＭ、２４  ハードディスクドライブ（ＨＤＤ）、２５  マウス、２６  キーボード、２７  ディスプレイ、２８  入出力コントローラ、２９  ネットワークインタフェース（ＩＦ）、３０  内部バス、３１，３２  付随画像、３２ａ  クリップ画像、３２ｂ  ボタン、３２ｃ  ページ情報。
【図１】
2019079184.tif 000003
【図２】
2019079184.tif 000004
【図３】
2019079184.tif 000005
【図４】
2019079184.tif 000006
【図５】
2019079184.tif 000007
【図６】
2019079184.tif 000008